(57)【特許請求の範囲】
【請求項１】
給餌パイプライン内へ飼料を円滑に供給するための飼料供給装置であって、互いに下端部で回動自在に連結し、筐体に弾性部材を介して固定し、少なくとも一方にバイブレーターを固着し、少なくとも一方に餌排出口を形成した、２体からなる振動板を有するホッパー本体と、前記ホッパー本体の下方に配設し、適宜大きさの網目を形成し、一側部下面に作動片を固着し、他側部で筐体に揺動自在に固定した板状篩体と、から構成されることを特徴とする飼料供給装置。
【請求項２】
前記ホッパー本体は、前記振動板の両側部に、２分割した分割片から構成される傾斜板を配設したものであることを特徴とする請求項１に記載の飼料供給装置。
【請求項３】
前記ホッパー本体内の前記振動板の近傍に、振動板との間に弾性部材を介在させ、筐体に揺動自在に支持した作用板を配設したことを特徴とする請求項１又は２に記載の飼料供給装置。
【請求項４】
前記作用板は、板状部の下端より櫛状部を折曲して突出させたものであることを特徴とする請求項３に記載の飼料供給装置。
【請求項５】
前記振動板の外面に、異なる切欠面積を有する餌排出窓を形成し、回転自在とした餌量調節回転板を配設したことを特徴とする請求項１乃至４に記載の飼料供給装置。
【発明の詳細な説明】
【０００１】
【発明の属する技術分野】
本発明は、家畜用飼料等を給餌パイプライン内へ円滑に供給できるように改良した飼料供給装置に関する。
【０００２】
【従来の技術】
従来、図８に示すように、家畜用飼料を１００基以上にも及ぶ多数の給餌器５５へ分配送給するために、飼料供給装置５１から、ケーブルコンベア５３を内蔵する給餌パイプライン５４内へ連続的に飼料を供給することが行われている。ここで、飼料供給装置５１は、一般に、飼料タンク５２に混入した異物又は塊状となった飼料を除去する機能は有さない。
【０００３】
飼料供給装置５１は、下方に行くに従って漸次横断面積は減少し、下端部の餌排出口は相当に狭小となる。そのため、餌排出口付近に異物又は塊状飼料が蓄積すると、餌排出口が殆ど閉塞状態となって、飼料を排出することができなくなってしまう。
一方、飼料供給装置５１から給餌パイプライン５４内へ異物又は塊状飼料が供給されてしまうと、給餌パイプライン５４、多数の給餌器５５内に異物又は塊状飼料が蓄積して行き、定期的に給餌パイプライン５４、１００基以上にも及ぶ多数の給餌器５５を清掃する必要がある。
【０００４】
そこで、図９及び図１０に示すような、混入した異物又は塊状飼料Ａを除去する機能を有する飼料供給装置６１が開発、販売されている。
この飼料供給装置６１は、ホッパー本体６２内に、上端部をホッパー本体６２の内壁部に軸支し、下端部にローラー６３を連結し、スプリング６４によって弾力付勢された作用板６５を配設してある。
そして、ホッパー本体６２の下方にモーター６６により作動するスクリューコンベア６７を配設し、その先端部に筒状篩体６８を配置してある。
【０００５】
上記飼料供給装置６１によれば、スクリューコンベア６７の作動によってローラー６３が上下動し、それに伴って作用板６５が揺動するので、ホッパー本体６２内の飼料Ｓが振動し、塊状になり難いとともに、下端開口から容易に落下するようになる。
又、ホッパー本体６２内から排出された飼料Ｓは、スクリューコンベア６７によって筒状篩体６８まで搬送され、筒状篩体６８において篩に掛けられるので、異物又は塊状飼料Ａは除去され、支障のない飼料Ｓがケーブルコンベア５３へと供給されていく。
【０００６】
【発明が解決しようとする課題】
しかし、上記飼料供給装置６１は、作用板６５が上下に揺動するのみなので、飼料Ｓの流動性が低い場合には、飼料Ｓがブリッジを起生して、図９に示すように、作用板６５の周囲に空洞Ｂが形成され、掻き落とし効果がなくなる。
又、異物又は塊状飼料Ａを除去する機構として、スクリューコンベア６７、モーター６６、筒状篩体６８という比較的高価な部品を使用することになるため、飼料供給装置６１自体の製造コストも高価とならざるを得ない。
【０００７】
本発明は、上記従来の飼料供給装置における問題点に鑑みて為されたものであり、飼料Ｓの流動性が低い場合にも、飼料Ｓがブリッジを起生し、空洞Ｂが形成されることなく、飼料Ｓが円滑に排出され、又、機構部品の構成が簡単で、装置自体の製造コストを極力低減できるにも関わらず、異物又は塊状飼料Ａを効率的に除去することができる飼料供給装置を提供することを目的とする。
【０００８】
【課題を解決するための手段】
上記目的を達成するため、本発明は、互いに下端部で回動自在に連結し、筐体に弾性部材を介して固定し、少なくとも一方にバイブレーターを固着し、少なくとも一方に餌排出口を形成した、２体からなる振動板を有するホッパー本体と、前記ホッパー本体の下方に配設し、適宜大きさの網目を形成し、一側部下面に作動片を固着し、他側部で筐体に揺動自在に固定した板状篩体と、から飼料供給装置を構成したことを特徴とする。
【０００９】
前記ホッパー本体は、前記振動板の両側部に、２分割した分割片から構成される傾斜板を配設したものであるのが好ましい。
【００１０】
前記ホッパー本体内の前記振動板の近傍に、振動板との間に弾性部材を介在させ、筐体に揺動自在に支持した作用板を配設してもよい。
【００１１】
そして、前記作用板は、板状部の下端より櫛状部を折曲して突出させたものであるのが好ましい。
【００１２】
さらに、前記振動板の外面に、異なる切欠面積を有する餌排出窓を形成し、回転自在とした餌量調節回転板を配設するのが好ましい。
【００１３】
【発明の実施の形態】
以下、本発明の飼料供給装置の好適な実施形態について、図面に基づき具体的に説明する。
【００１４】
本発明の飼料供給装置１は、給餌パイプライン５４内へ飼料Ｓを円滑に供給するためのものであって、図１及び図２に示すように、筐体２内にホッパー本体３を配設し、ホッパー本体３の下方に板状篩体４を配設し、板状篩体４の下方をケーブルコンベア５３が走行するようにしてある。
【００１５】
ホッパー本体３は、図１乃至図３に示すように、前面又は後面板となる振動板５，６と、左右側面板となる傾斜板７，８とから構成される。
【００１６】
振動板５，６は、図１乃至図３に示すように、互いに内方に傾斜させ、両側下端部で蝶番９，９を介して回動自在に連結してあり、下端同士を密着させてある。
振動板５は、その上端部及び下端部を筐体２に固定した背面支持板１０に、スプリング１２を介して、ボルト１３、ナット１４により、弾力付勢された状態で支持してある。又、振動板５の外面にはバイブレーター１５を固着してあり、背面支持板１０の当該部分には窓孔１０ａを穿設してある。
振動板６は、その上端部を筐体２上部に固定した正面支持板１６に、スプリング１７によって弾力付勢された状態で、ボルト１８、ナット１９により支持してある。又、振動板６の中央下端部には、図３に示すように、餌排出口２０を切欠、形成してある。
尚、図２において符号１１は、筐体２下部に固定され、背面支持板１０の下端と接続する底面板である。
【００１７】
傾斜板７は、略中央で２分割した傾斜板分割片７Ａ，７Ｂから構成され、傾斜板分割片７Ａは前記振動板５に固定し、傾斜板分割片７Ｂは前記振動板６に固定し、傾斜板分割片７Ａと７Ｂとは、その自由側端部同士を密接させてある。
同様に、傾斜板８も、略中央で２分割した傾斜板分割片８Ａ，８Ｂから構成され、傾斜板分割片８Ａは前記振動板５に固定し、傾斜板分割片８Ｂは前記振動板６に固定し、傾斜板分割片８Ａと８Ｂとは、その自由側端部同士を密接させてある。
【００１８】
ホッパー本体３内の振動板６近傍には、図１乃至図３に示すように、板状部２１ａと櫛状部２１ｂとから構成される作用板２１を配設してある。
板状部２１ａの中央上端部はボルト２２、ナット２３によって揺動自在に前記正面支持板１６に支持させ、板状部２１ａの中央下端部と前記振動板６との間には、振動板６を貫通させた蝶形ボルト２４に保持させたスプリング２５を介在させ、弾力付勢された状態で支持させてある。
櫛状部２１ｂは、３本の杆状部材からなり、板状部２１ａの下端中央より振動板６方向に折曲して突出させてある。
【００１９】
振動板６の外面には、図１乃至図３に示すように、前記蝶形ボルト２４を取付孔２６ａに挿通することによって、餌量調節回転板２６を配設してある。餌量調節回転板２６は、図６に示すように、周辺部に所定間隔で、異なる切欠面積を有する餌排出窓２７Ａ，２７Ｂ，２７Ｃ，２７Ｄを欠設してある。
【００２０】
板状篩体４は、図１及び図２に示すように、適宜大きさの網目を形成したものであり、一側部下面にはＶ字状の作動片２８を固着してある。又、他側部は蝶番２９によって筐体２の下端部内壁面に揺動自在に固定してある。
【００２１】
本発明の飼料供給装置１は、上記のような構成であって、以下のような作用、効果を奏する。
【００２２】
バイブレーター１５を作動させると、振動板５は、背面支持板１０とスプリング１２，１２を介して支持されているので、スプリング１２，１２の弾性力によって複雑な挙動を伴う振動をする。又、振動板６も、振動板５と蝶番９，９を介して連結され、正面支持板１６とスプリング１７を介して固定されているので、同様に、スプリング１７の弾性力によって複雑な挙動を伴う振動をする。
傾斜板７，８も、振動板５，６に伴って振動するが、傾斜板７，８は、略中央で２分割されており、傾斜板分割片７Ａと７Ｂ、８Ａと８Ｂは、その自由側端部同士を密接させてあるだけであるから、振動板５，６の複雑な挙動を伴う振動を阻害することはない。
このように、振動板５，６、傾斜板７，８全てが複雑な挙動を伴った振動をするから、ホッパー本体３内の飼料Ｓも、同様に、複雑な挙動を伴った振動をして、従来にない掻き落とし効果、異物又は塊状となった飼料を除去する効果、粉砕効果が期待できる。
【００２３】
又、ホッパー本体３内に配設した作用板２１も、正面支持板１６に揺動自在に支持され、振動板６にスプリング２５を介して連結されているから、同様に、複雑な挙動を伴った振動をして、ホッパー本体３内の中央部に存在する飼料Ｓについても、十分に振動を伝達することができ、異物又は塊状となった飼料を除去する効果、大きな粉砕効果が期待できる。
さらに、図４に示すように、作用板２１が存在しない場合には、狭小な餌排出口２０に向かって多量の飼料Ｓが集中して流動していくため、どうしても飼料Ｓが凝縮し易く、ブリッジを発生させ易くなる。
しかし、図５に示すように、作用板２１が存在する場合には、作用板２１の上面を流動して、作用板２１の側端から流下して、又、作用板２１と振動板６との空間を流動して、すなわち、種々経路に分散されて飼料Ｓが流動していくため、飼料Ｓは凝縮し難く、ブリッジを発生させ難くする。
又、作用板２１の下端部には櫛状部２１ｂが形成され、飼料Ｓが最も凝集し易い餌排出口２０の近傍に配置されているから、この櫛状部２１ｂによっても飼料Ｓが粉砕されて、飼料Ｓは円滑に流動する。
【００２４】
次に、餌排出口２０から排出された飼料Ｓは、餌量調節回転板２６の餌排出窓２７を通過して板状篩体４へと排出される。
ここで、餌量調節回転板２６には、異なる切欠面積を有する餌排出窓２７Ａ，２７Ｂ，２７Ｃ，２７Ｄを欠設してあるから、飼料Ｓの流動性を考慮して、餌量調節回転板２６を回転させ、適宜餌排出窓２７Ａ，２７Ｂ，２７Ｃ，２７Ｄを選択することにより、適量の飼料Ｓをパイプラインに供給することができる。
【００２５】
そして、板状篩体４へと排出された飼料Ｓは、板状篩体４において篩に掛けられ、異物又は塊状飼料Ａは網目を通過せず、そのまま板状篩体４上に残存する。
この際、一側部下面にはＶ字状の作動片２８を固着してあり、他側部は蝶番２９によって揺動自在に固定してあるから、ケーブルコンベア５３の走行によって、ディスク５３が作動片２８を上動させると、板状篩体４は他側部を支点として揺動する。
よって、何等特別な駆動源を必要とすることなく、板状篩体４上に排出された飼料Ｓは振動して、効率的に篩に掛けられることになる。
【００２６】
上記のように、餌量調節回転板２６を回転させることによって、適宜餌排出窓２７Ａ，２７Ｂ，２７Ｃ，２７Ｄを選択し、適量の飼料Ｓを給餌パイプラインに供給することができるが、飼料Ｓの流動性又は供給量を大幅に変動させる場合には、異なる餌量調節回転板２６を使用してもよい。
この場合にも、餌量調節回転板２６は蝶形ボルト２４で簡単に固定されているだけであるから、容易に他のものと交換することができ、極めて便利である。
【００２７】
飼料Ｓの粒径を大幅に変動させる場合には、異なる網目を有する板状篩体４を使用する必要があり、又、網目が目詰まりした場合には、新たな板状篩体４に交換する必要があるが、板状篩体４は一側部で蝶番２９によって揺動自在に固定してあるだけであるから、蝶番２９のボルトを緩めて容易に交換することができ、極めて便利である。
【００２８】
そして、本発明の飼料供給装置は、従来のように、スクリュー、モーター、筒状篩体という、複雑でコストの掛かる機構部品を使用せず、構成が極めて簡単であるから、装置自体の製造コストを大幅に低減することができる。
【図面の簡単な説明】
【図１】本発明の飼料供給装置の概観斜視図である。
【図２】本発明の飼料供給装置の断面図である。
【図３】ホッパー本体の（Ａ）は組立斜視図、（Ｂ）は振動板を取り外した状態の斜視図、（Ｃ）は傾斜板を取り外した状態の斜視図である。
【図４】作用体がないホッパー本体における飼料の流動状態を示す説明図である。
【図５】作用体があるホッパー本体における飼料の流動状態を示す説明図である。
【図６】餌量調節回転板の正面図である。
【図７】餌量調節回転板及び篩体の作用を示す説明図である。
【図８】給餌パイプラインの全体構成図である。
【図９】従来の飼料供給装置の断面図である。
【図１０】従来の飼料供給装置の透視斜視図である。
【符号の説明】
１  飼料供給装置
２  筐体
３  ホッパー本体
４  板状篩体
５，６  振動板
７，８  傾斜板
７Ａ，７Ｂ，８Ａ，８Ｂ  傾斜板分割片
９  蝶番
１２，１７  スプリング
１５  バイブレーター
２０  餌排出口
２１  作用板
２１ａ  板状部
２１ｂ  櫛状部
２５  スプリング
２６  餌量調節回転板
２７  餌排出窓
２８  作動片
５４  給餌パイプライン
Ｓ  飼料
【図１】
0003921097.tif 000002
【図２】
0003921097.tif 000003
【図３】
0003921097.tif 000004
【図４】
0003921097.tif 000005
【図５】
0003921097.tif 000006
【図６】
0003921097.tif 000007
【図７】
0003921097.tif 000008
【図８】
0003921097.tif 000009
【図９】
0003921097.tif 000010
【図１０】
0003921097.tif 000011